(57)【要約】フエザーダスタ用の貯蔵装置はハウジング（１１）を含み、前記ハウジング内には使用されないときのフエザーダスタ（１２）が貯蔵される。前記ハウジングは塵用収集容器（２６）および／または真空源（２２，２３）を包囲する。
2004516900.tif 000002
【特許請求の範囲】
【請求項１】
使用されないときにフエザーダスタ（１２）を貯蔵する、フエザーダスタ（１２）用貯蔵室（１３）を包囲するハウジング（１）、前記フエザーダスタ（１２）を清掃しかつ前記フエザーダスタ（１２）に静電気を帯電するために前記貯蔵室へ気流を送る送風ユニット（２３，２４）、および気流により前記フエザーダスタ（１２）から除去される塵粒子を収集するための収集容器（２６）を有することを特徴とする、フエザーダスタ用貯蔵装置。
【請求項２】
前記ハウジングは自己支持型であることを特徴とする、請求項１の貯蔵装置。
【請求項３】
前記送風ユニット（２３，２４）は前記貯蔵室（１３）と連通する真空源を形成していることを特徴とする、請求項１または２の貯蔵装置。
【請求項４】
前記収集容器（２６）は前記貯蔵室（１３）と前記真空源（２６）との間に設置されていることを特徴とする、請求項３の貯蔵装置。
【請求項５】
フィルタ（２７）が前記収集容器（２６）と前記真空源との間に設置されていることを特徴とする、請求項４の貯蔵装置。
【請求項６】
前記貯蔵室（１３）はその室に形成された入口開口部を介して大気と連通していることを特徴とする、請求項１から５のいずれか１の貯蔵装置。
【請求項７】
前記フエザーダスタ（１２）は前記貯蔵室のカバーとして作用するカラー（２８）を有することを特徴とする、請求項６の貯蔵装置。
【請求項８】
前記入口開口部は前記貯蔵室（１３）の一端に設けられ、かつ少なくとも一つの出口開口部が前記貯蔵室の他端に設けられていることを特徴とする、請求項６または７の貯蔵装置。
【請求項９】
前記送風ユニット（２３，２４）はバッテリ（２４）で駆動することを特徴とする、請求項１から８のいずれか１の貯蔵装置。
【請求項１０】
前記ハウジング（１１）は前記ハウジングをオペレータまたはオペレータの衣服に前記ハウジングを固定するための締結手段（１８）を有することを特徴とする、請求項１から９のいずれか１の貯蔵装置。
【発明の詳細な説明】
【０００１】
本発明はフエザーダスタ用貯蔵装置に関する。
【０００２】
真空掃除機、ダストクロス、たまはフエザーダスタがディテールまたは表面から塵を除去するために使用される。従来床ノズルを有する真空掃除機は、基本的に、床表面から塵埃粒子を除去するために使用される。真空掃除機を使用して家具、棚、および他の種類のディテールから塵埃を集めるために、その清掃を促進するための種々の付属品がある。かかる付属品は、通常、真空掃除機管ハンドルに固定されたブラシノズルを含み、前記ブラシノズルは可撓性ホースを介して真空掃除機ハウジングに連結される。しかし、このブラシノズルは、連結されたホールおよび管ハウジングと共に、しばしば棚または他のディテールが堅く設置されている他の表面の清掃に使用することが、極めて面倒である。その代わりに、ダストクロスおよびフエザーダスタ１２が、通常、かかる表面を清掃するために使用される。フエザーダスタは、ディテールおよび表面に接触するときに脇へ折れる幾つかの軽量かつ可撓性糸状要素で構成される。そのようにして、フエザーダスタは、清掃されるべきディテール内、ディテール間に到達し、かつその周辺を実質的に取り囲む。
【０００３】
フエザーダスタ、およびマイクロファイバクロスと呼ばれるダストクロスは、使用されるときに静電気がそこに帯電するように設計される。そのために、塵粒子は、表面から除去されるときに、フエザーダスタまたはダストクロスに接着する。しかしながら、かかるフエザーダスタ、およびあらゆるタイプのクロスの欠点は、オペレータがフエザーダスタまたはダストクロスから塵を振るい落とすことのできる空間へ移動しなければならないことである。静電気の帯電は、フエザーダスタまたはダストクロスがしばらく使用された後には、減少する。
【０００４】
従来、管状ホルダに組み合わせたフエザーダスタの使用が知られている。ＵＳ特許４，２２７，２７８号参照。フエザーサポートは、フエザーダスタが使用されないときにその管内に隠れるように摺動自在に配設される。しかし、この装置は、フエザーダスタを清掃するためにオペレータが塵粒子を振るい落とす場所へ移動することを強要するので、普通のフエザーダスタと同様の欠点を有する。
【０００５】
本発明は、フエザーダスタ用の自己支持型貯蔵装置を提供し、この貯蔵装置において、フエザーダスタに接着する塵粒子は除去され、かつ／または静電気により帯電される。これは、フエザーダスタが使用されないときにフエザーダスタを貯蔵するハウジングを有する装置によって達成される。前記ハウジングはフエザーダスタのための貯蔵室、フエザーダスタを清掃しかつフエザーダスタに静電気を帯電するために前記貯蔵室へ気流を送る送風ユニット、および気流によりフエザーダスタから除去される塵粒子を収集する収集容器を包囲する。
【０００６】
以下に、添付図面を参照して本発明の実施形態を説明する。
【０００７】
図示された貯蔵装置１０は自己支持型ハウジング１１を含み、ハウジング１１内には使用されないときのフエザーダスタ１２が貯蔵されている。フエザーダスタ１２はハンドル部１２ａ、および静電気を帯電する糸または繊維１２ｃを有する軸部１２ｂを有する。ハウジング１１は、貯蔵部１１ａおよび収集部１１ｂの二部を有し、この二部は相互に対して取り外し可能に連結されるが、通常はスナップ式締結装置または同様物（図示せず）により相互に対して連結される。
【０００８】
貯蔵部１１ａはフエザーダスタ１２用の貯蔵室１３を具備する。貯蔵室１３は一つまたは幾つかの側壁１４、および幾つかの相対的に大きい空気出口開口部１６を有する底１５により画定される。貯蔵室１３は上部に、フエザーダスタ１２を貯蔵装置１０に対して出し入れすることのできる、空気入口開口部１７を有する。貯蔵室１３は、また、貯蔵装置１０をフエザーダスタ１２を使用する人の衣服に固定できるクリップ１８または他の締結装置を有する。
【０００９】
収集部１１ｂは一つまたは幾つかの側壁１９、および使用しないときに貯蔵装置を支持する幾つかのサポート２１を有する底２０を具有する。収集部１１ｂは上下部を形成し、かつ下部はファン２２および電動モータ２３を備えた小さい送風ユニットを包囲する。電動モータ２３へはバッテリ２４から電気が供給され、かつ電気制御装置（図示せず）により制御される。送風ユニットは、ファン２２の出口側が収集部１１ｂの底２０に配設された幾つかの出口開口部２５と連通し、ファン２２の入口側が塵埃用収集容器２６を形成する上部と連通する。収集容器２６は交換可能フィルタ２７によりファン２２の入口側から分離している。
【００１０】
貯蔵装置は次のように作動しかつ使用される。通常、貯蔵装置はサポート２１上に載置され、かつフエザーダスタ１２は貯蔵室１３へ挿入される。フエザーダスタ１２が使用されるときに、電動モータ２３は短時間で開始する。空気が入口開口部１７へ吸引され、かつフエザーダスタ１２の糸１２ｃが震動しかつ相互に対してかつ周囲壁に摩擦し、それにより糸１２ｃが静電気を帯電する。そこで、フエザーダスタ１２は貯蔵室１３から引き出されかつ集塵運転が開始する。集塵運転中、塵埃は糸１２ｃへ結合する。
【００１１】
フエザーダスタ１２が貯蔵室１３へ再度挿入されかつ電動モータ２３が開始するときに、入口開口部１７から吸引される空気は塵埃を貯蔵室１３の出口開口部１６から収集容器２６へ運び、そこで塵埃はフィルタ２７により空気から分離する。そこで、空気はファン２２から収集部１１ｂの出口開口部２５を通って大気へ連続的に流れる。同時に、フエザーダスタ１２が再び使用できるように、糸１２ｃは静電気を帯びる。
【００１２】
オペレータが望めば、オペレータは更に強力な真空掃除機運転時にまたは通常真空掃除運転時にクリップ１８をオペレータの衣服上に留めることにより貯蔵装置１０を運ぶことができる。このようにして、フエザーダスタ１２は、常時、アクセス可能であり、かつオペレータが適当な場所へ歩いて行ってフエザーダスタ１２を振り払う必要なく簡単に清掃できる。そのようにして、完全真空掃除運転が終了したとき、または収集部１１ｂから貯蔵部１１ａを分離することにより後の段階で、収集容器は空になる。
【００１３】
上述の貯蔵装置が固定状態で設置される場合、バッテリは当然ながら主電源に置換されてよい。フエザーダスタ１２は、また、貯蔵室の入口開口部１７のためのカバーとして作用するカラー２８を装備してよい。かかる場合、貯蔵室１３は好適には円筒状であるが、空気が貯蔵室１３へ接線方向で流れるように、貯蔵室１３の上部に他の入口開口部２９を有するものであってよい。
【００１４】
本発明は特定形態に関して説明されたが、当業者には特許請求の範囲に記載された範囲から逸脱することなく、種々の変更が可能であり、かつ均等物が構成要素と置換できる。更に、必須の要件から逸脱することなく本発明の教示に対して他の改良が特定状況および方法に応じて可能であろう。
【図面の簡単な説明】
【図１】
本発明の実施形態による装置の垂直断面の概略図である。
【国際公開パンフレット】
2004516900.tif 000003
2004516900.tif 000004
2004516900.tif 000005
2004516900.tif 000006
2004516900.tif 000007
2004516900.tif 000008
2004516900.tif 000009
2004516900.tif 000010
【国際調査報告】
2004516900.tif 000011
2004516900.tif 000012